(57)【要約】パネル（３、５）に取り付けられる、トレー（１００、１１０）が形成された１つ以上のレセプタクルを具備する容器。
2006504593.tif 000002
【特許請求の範囲】
【請求項１】
ヒンジ部材に沿って折り畳み可能に結合された相補パネルと、
前記相補パネルのそれぞれ１つに取り付けられた少なくとも１つの物品を受容するように構成された少なくとも１つのトレーと、
前記相補パネルを互いに対して向き合う関係に選択的に保持する錠止機構と、を備える容器。
【請求項２】
ヒンジ部材に沿って折り畳み可能に結合された相補パネルと、
前記相補パネルが互いに向き合う間係に折り畳まれる時に互いに整合するように配置された前記相補パネルのそれぞれに取り付けられた相補トレーと、
前記相補トレーを互いにに向き合う間係に選択的に保持する錠止機構と、を備える容器。
【請求項３】
前記相補トレーの少なくとも１つは区画室を含む、請求項２に記載の容器。
【請求項４】
前記相補トレーは、該相補トレーが互いに向き合う関係に配置された時に空洞を画成するように配置されたそれぞれの区画室を含む、請求項２に記載の容器。
【請求項５】
前記錠止機構は、前記相補トレーが互いに面接触する関係に付勢される時に、互いに協働して受容するように構成されたそれぞれの係合部材を具備する該相補トレーを備える、請求項２に記載の容器。
【請求項６】
それぞれの前記係合部材は、相応する雄及び雌係合要素を具備する前記相補トレーを備える、請求項５に記載の容器。
【請求項７】
面接触する関係から前記相補トレーの分離を容易にする把持要素を更に備える、請求項２に記載の容器。
【請求項８】
前記把持要素は、凹所領域を具備する前記相補トレーの少なくとも１つを備える、請求項７に記載の容器。
【請求項９】
前記把持要素は、前記相補トレーのそれぞれの端縁に沿って延在する少なくとも１つのフランジを具備する前記相補トレーの少なくとも１つを備える、請求項７に記載の容器。
【請求項１０】
前記相補トレーの少なくとも１つは、各々がそれぞれのヒンジ結合されていない外周端縁に沿って延在するフランジを具備する前記相補トレーの少なくとも１つを備える、請求項７に記載の容器。
【発明の詳細な説明】
【技術分野】
【０００１】
本発明は、容器に、およびより詳細にはヒンジ付パネルに取り付けられた容器に関する。
【背景技術】
【０００２】
消費者製品は、伝統的に、様々な形状、寸法、及び構成の容器で販売されてきた。製造者は、製品を保護し、多くの場合に製品への容易なアクセスを可能にし、及び印刷可能な表面を与える態様で製品を包装することを所望する。製造者が、屡、直面した１つの問題は、製品を保護するのに十分丈夫な容器が印刷可能な表面を与えない形状構成に及び基板から作られているということである。従って、単一の物品から化粧品のような複合タイプの物質までの多種類の物品を受け取るための容器を有することは有用であろうということは認識し得る。製品への容易なアクセスを与える容器を有することが有用であろうということは更に認識し得る。印刷可能な表面領域を与える一方で、製品を保護する容器を有することが有用であろうことも更に認識し得る。
【発明の開示】
【発明が解決しようとする課題】
【０００３】
製品は様々な包装技術を使用して容器に配置される。化粧品は、消費者に審美的に嬉しい仕方でパッケージ内容物を提供する一方で、品質劣化から貯蔵される材料を保存する必要性を考慮に入れなければならない仕方で伝統的に包装且つ貯蔵されてきた。同時に、製造コストが経済的であることが必要とされる。別の望ましい特徴は、種々のタイプの化粧製剤及び他の材料用容器として役立つに十分多用途であるべきことである。モールド成形されたコンパクトに屡包装される化粧品製剤の包装に関して、包装の間中に加熱され且つ流体状態で容器に注がれ、その後、冷却を許容される化粧品成分を意味する”熱製剤”、及び包装の間に加熱されない流体又は固体成分を意味する”冷製剤”として知られているものは同じ容器内に直に包装することが望ましいであろう。異なるプロセスによって充填可能にするためにモールド成型されたコンパクトの種々の要素を分離することができなかったため、２重の包装からなるこの方法は以前には可能ではなかった。
【課題を解決するための手段】
【０００４】
容器は基板に固定された少なくとも１つのトレーを備える。基板は折り畳まれるか又は溝が付けられるか、あるいはこれらの組合せで少なくとも２つのパネルになる。少なくとも１つのトレーは基板の少なくとも１つの表面に固定される。一実施形態では、容器は第１基板パネルに固定された第１トレーを具備する。第２トレーは第２基板パネルに固定される。ヒンジ手段は第１基板パネルを第２基板パネルに固定する。第２トレーは、容器が閉位置にある場合に、第１トレーの一部を少なくとも部分的に覆うように整合され且つ形成される。
【０００５】
容器は、基板に固定された少なくとも１つのトレーを備える。基板は折り畳まれるか又は溝が付けられるか、あるいはこれらの組合せで少なくとも２つのパネルになる。少なくとも１つのトレーは、基板の少なくとも１つの表面に固定される。一実施形態では、容器は第１基板パネルに固定された第１トレーを具備する。第２トレーは第２基板パネルに固定される。ヒンジ手段は第１基板パネルを第２基板パネルに固定する。第２トレーは、容器が閉位置にある場合に、第１トレーの一部を少なくとも部分的に覆うために整合且つ形成される。
【０００６】
しかしながら、貯蔵及びディスプレイ用化粧品製剤を含むことに適したパッケージを本発明によって構成し得ることが、ここに、判明した。パッケージは化粧品製剤の包装に適用可能であると一般的に考えられるが、本発明が構成要素、固体材料又は別々の物品を含む種々の材料を含むために使用し得るから、特定用途の言及と記載は限定するものとして考えるべきではない。
【０００７】
パッケージは、通常、折り畳み又は切れ目付け又はこれらを組合せた段階によって形成された可撓性すなわち曲げ易い基板から正面パネル、後面パネル及びヒンジパネルに形成された外側カバーを備える。前記外側カバーは内表面と外面を有する。可撓性基板は、外側カバーのための角度が付けられ、箱状形状を与えるために容易に折り畳むことができる何れかの材料とし得る。従って、この基板は、厚紙、合成紙及び厚紙、厚紙表紙装のボール紙、折り畳み可能な織物積層物、他の積層物、及びこれらの種々の組合せからなる群から選択し得る。好ましい基板はパッケージの寸法及び意図していた最終重量により基本重量を可変とし得るボール紙である。例えば、片側又は両側（それぞれ、Ｃ１Ｓ又はＣ２Ｓ）が被覆された固体漂白硫酸塩（ＳＢＳ）を使用し得る。可撓性基板は、パッケージに或る所望の特性を与える材料を含み得る。例えば、バリア材料は１つまたはパッケージ内容物から外部まで臭気又は芳香の移動を阻む基板を与えるボール紙材料の片面又は両面を覆うために使用し得る。
【０００８】
カバーの表面は、テキスト、グラフィックス又は他の適切な画像で印刷し得る。印刷は任意の利用可能な方法によって行い得る。鏡面パネルも金属粉インキを使用して１つ以上の表面上に印刷し得る。
【０００９】
本発明の一態様では、外側カバーは、その任意の自由端縁からの折り畳み可能な延長部分を備え得る。この延長部分は、正面又は後面パネルと同じ寸法であるように寸法づけ得る。好ましい実施形態では、折り畳み可能な延長部分は正面パネルの外側端縁に設けられ、かつ正面パネルの厚さの２倍の厚さのパネルを提供するためにパッケージ内部に向けて内向きに折り畳まれる。折り畳み可能な延長部分は、印刷されたデザイン、色又は情報も担持し得るものであり、かつこれらの更なる特徴を両面印刷をする必要なしにパッケージ内部に導入可能にする。
【００１０】
また別の態様では、前記外側カバーの正面パネルの折り畳み可能な延長部は、それ自体、前記後面パネルの外側のまわりに折り畳まれる場合に、閉鎖手段を与える１つ以上のパネル内に折り畳み得る。この点で、折り畳み可能な延長部は前記外側カバーのヒンジパネルの寸法に相応するパネル、及び前記後面パネルの少なくとも一部の上に相応して重なりかつその自由端縁を具備する閉鎖フラップ内に折り畳まれる。前記閉鎖フラップの自由端縁は、閉鎖手段を与える前記後面パネルに形成されたスリットに係合するように形成されたタブに終端し得る。
【００１１】
形成プラスチックトレーは、外側カバーの表面の１つ以上に固着される。取付手段は接着剤又はホットメルトポリマーのような接着剤とし得る。
【００１２】
あるいは、トレーは、機械的手段によって前記カバーに対して適所に保持し得る。トレーは、任意の適切な形状の１つ以上のレセプタクルを備える。概して、レセプタクルは、パッケージにされつつある製品で直に充填するために、あるいは前記製品を保持する挿入物であるパンを収容する寸法とし得る丸みのある窪みの形状をしている。両方の製剤がこのように単一のパッケージにパッケージされるので、各々が熱いか又は冷たい化粧製剤を含むパンを保持するように構成されるべきパッケージの能力は本発明の特別な利点である。プラスチックトレーは、例えば、射出成形又は他の適切な手段によってモールド成形し得る何れかのプラスチック材料から構成される。透明、不透明、有色又は光学的に変更されたプラスチック材料は等しく適切である。
【００１３】
プラスチックトレーは、パッケージにされる製品を収容するように成形且つ寸法づけられた１つ以上のレセプタクルを備える。例えば、単一のレセプタクルはぎっしり詰めた化粧品製品の保持のために含み得るか、あるいは、単一のレセプタクルはコンパクトディスクを保持するように成形し得る。一緒に包装されることが望ましい相補化粧品シェード又は他の製品が同じパッケージに含まれ得るように他の実施形態のプラスチックトレー内に２つのレセプタクルを組み込み得る。本発明の別の態様では、レセプタクルは、その端縁に保護フィルムを固着するか、あるいは閉鎖手段を与えるためにカバーをレセプタクルに取り付けるかの何れかによって、その充填内容物を保護するために密封し得る。カバーは完全に着脱自在とし得るか、あるいはカバーがレセプタクルの頂部に係合した場合に張力付与されていない位置で開きおよび張力付与された位置で閉じるように構成されるヒンジ結合によってレセプタクルに取り付け得る。
【００１４】
各レセプタクルは製品を運ぶカセットを保持するように構成し得る。この形状構成によって、カセットは選択されて各パッケージのレセプタクル内に挿入することができ、かくして、パッケージを異なる製品の組合せに使用可能にするか、あるいはパッケージをＰＯＳ(point of sale)でカスタマイズ可能にする。
【００１５】
１つの態様では、本発明は、可撓性基板から形成され、正面パネル、後面パネル、及びヒンジパネルからなる外側カバーであって、前記正面パネル及び前記後面パネルの各々は外側端縁及びヒンジパネルと連結領域にあるヒンジ端縁を具備し、内側表面と外側表面を具備する前記外側カバーと、反対側に位置する、形成プラスチックトレーであって、該各トレーは前記正面パネル又は後面パネルの何れかの内側表面に取り付けられ、かつ他のパネルに取り付けられた相応する形成プラスチックトレーに対して空間的に反対側にあり、各々は前記正面パネル又は前記後面パネルの何れかの外側端縁に対して相応する配向の外側端縁を含み、各プラスチック形成トレーは内部に形成された１つ以上のレセプタクルを更に含む、前記トレーと、係合される時にパッケージの確実な閉鎖を与える相応する係合要素からなる錠止要素と、を含むパッケージを備える。係合要素は、プラスチックトレーで一体形成されることが好ましいが必ずしもそうである必要はない。
【００１６】
１つの好ましい実施形態では、パッケージは２つの反対側に位置する形成プラスチックトレーを備える。反対側に位置するプラスチックトレーは、各々がその外側端縁で、あるいはその近傍に凹所領域を形成するためにさらに形成し得る。これにより、パッケージを開くためのアクセス領域を与える。好ましくは、反対側に配置されたプラスチックトレーがパッケージを閉じるために互いに向かって折り畳まれる場合、パッケージを開くアクセス領域が正面パネル及び後面パネルによって規定されるように、凹所領域は反対側に位置するトレーの外側端縁に形成される。
【００１７】
別の態様では、反対側に位置する形成プラスチックトレーは、各トレーに中心に凹所領域を形成するように構成し得る。中心に面する凹所領域は、パッケージが閉じた場合に互いに当接するように反対側に位置づけられ、内部に挿入物を配置し得る空洞を形成する。
【００１８】
別の好ましい実施形態では、形成プラスチックトレーの少なくとも１つは、延長部分が外側カバーの外側端縁を越えて突出するように、その外側端縁の一部に沿って形成された延長部分をさらに含む。この延長部分は、パッケージを開閉する把持手段を与え、外側カバーの外側端縁が摩滅しないように保護する。ある実施形態では、延在された領域は、形成プラスチックトレーの外側端縁の全長に沿って形成し得る。他の実施形態では、それは、形成プラスチックトレーの外側端縁の長さの一部のみに沿って形成される１つ以上の堅固なタブとして構成し得る。
【００１９】
形成プラスチックトレーは、トレー構造体と一体的に形成された係合要素を備えることが好ましい。この点で、形成加工プロセスによって構成し得る如何なる係合手段も本願明細書で考慮される。選択し得る相応する係合要素の非限定的な実例はトレーの外周の少なくとも一部に形成された隆起及び溝、合釘及びソケット、フック及び保持器、接着性織物の部分、あるいはグロメットである。或る好ましい実施形態では、対応する係合要素は、射出成形プロセスで形成プラスチックトレーによって相応してモールド成形される、合釘及びソケット、あるいは横桟である。合釘はその垂下端部におけるソケットより僅かに大きな直径に形成されることが好ましい。ソケット内への合釘の係合は、好ましくは垂下端部を挿入するために或る圧力を加えることによって、パッケージの閉鎖を行う。
【００２０】
本発明のパッケージは、電子物品監視（ＥＡＳ）タグ、アンテナ、電子保全装置、あるいはこれらの任意の組合せのような電子装置を組み込見得る。これらの要素の１つ以上はパッケージの任意の表面上に固着又は印刷し得る。
【００２１】
改竄を検出する保全手段、並びにパッケージ内容物のディスプレイ装置の両方を与える別の実施形態では、外側カバーは正面又は後面パネルの何れか一方又は両方の１つ以上の切取部を含み得る。切取部は、例えば、コンパクトディスク、あるいは製品の明瞭な視認を与えるレセプタクル上の或る領域上に位置づけ得る。切取部は、内側表面又は外側カバーの外側表面の何れか上の透明フィルムによって覆い得る。例えば、透明材料は、外側カバーの内側又は外側表面上の切取部の端縁まわりに固着し得るか、あるいはパッケージ全体を透明フィルムでラップし得る。
【００２２】
本発明の種々の包装の実施形態は、製造するためにも経済的な包装の多用途で、融通が利き、軽量モードを与える。消費者、通常は大量市場の小売り業者にも、包装の新しいロットの製造を要求せずに包装をカスタマイズするより大きな能力を供給される。例えば、小売業者が製品の種々の色及び混合を含むカセットを個々のパッケージ内に挿入又は取り除き、かつ消費者に製造者の商標を担持する独特に用意されたパッケージを提供し得るから、本発明の化粧品包装はＰＯＳでカスタマイズし得る。包装が、コンパクトディスク又はディジタルビデオディスク市場のような他の小売市場で使用されたならば、同じ利点が生じるであろう。
【発明を実施するための最良の形態】
【００２３】
図１〜図５に示すように、本発明による多機能コンパクトは第１形成プラスチックトレー１００、第２形成プラスチックトレー１１１、及びボール紙基板から構成された外側カバー１を備える。第１形成プラスチックトレー１００はカラー領域１０１及び内部に窪みとして形成されたレセプタクル１０４を含む。第１形成プラスチックトレー１００は直立側面壁１１２、及び直立側面壁１１２に直角に形成された正面壁１１４を含む。第１形成プラスチックトレー１０１は、側面壁１１２の各々に沿って延び、かつ正面壁１１４の少なくとも一部に沿って延在する、斜角が付けられた端縁１１８に相応する斜角が付けられた端縁１１７を更に含む。正面壁１１４は、錠止要素用アクセス領域を提供する、凹所領域１１０を形成し、及びトレーを開く支援をする、凹んだ端縁１０３を更に具備する。第１形成プラスチックトレー１０１には、その外部端縁全長に沿って延びる延長部分１０２が含まれる。凹所領域１１０は、パッケージを閉じる係合要素として働くソケット１０５を含む。
【００２４】
本発明のこの実施形態によるパッケージの外側カバー１は、Ｃ１Ｓ板紙のようなボール紙材料で作られた正面パネル３、ヒンジパネル４及び後面パネル５から構成される。図１に示すように、第１形成プラスチックトレー１００は、後面パネル５の内側に接着剤又はホットメルトのような接着手段によって固着され、かつ第２形成プラスチックトレーは、正面パネル３の内側に固着される。図２に示すように構成したパッケージは、そのジの繰り返し折畳み及び閉鎖を可能にする所望の可撓性を与える接着剤無しのヒンジパネル４を含む。
【００２５】
第２形成プラスチックトレー１１１は、側面壁１０７、正面壁１１４及び後面壁１１６によって包囲されたパネル領域１０６から構成される。正面壁１１４はその延長部分１０８を更に含む。第２形成プラスチックトレー１１１は、側面壁１０７及び正面壁１１４にそれぞれ形成された隆起部１１５及び１１９を具備する。
【００２６】
第１形成プラスチックトレー１００の凹所領域１０３は、第２形成プラスチックトレー１１１内に形成された延長部分１０８に配置上対応する。第１形成トレー１００及び第２形成トレー１１１を共に閉じて固定し、これによりパッケージを閉じる係合要素が延長部分１０８に形成された合釘１０９として形成される。これらの合釘は、凹所領域１１０のソケット１０５に相応して協働するように配置される。
【００２７】
図３に示すように、第２形成プラスチックトレー１１１はその最外端縁の全長に沿って延びる延長部分１２０をさらに含む。
【００２８】
パッケージを閉じるために、延長部分１１５及び１１９は、第１形成プラスチックトレー１００の斜角が付けられた端縁１１７、１１８の上に下向きに引っ張られる。延長部分１０８は、凹所領域１１０、及びソケット１０５内に嵌まった合釘１０９上に降下する。パネル３によって形成された、露出する印刷可能な外側カバー表面を示す、閉じられたパッケージを図４に描く。
【００２９】
図５は、第１形成プラスチックトレー１００のカラー領域１０１に関してレセプタクル１４の深さを示すパッケージの内部態様の透視図である。
【００３０】
単一のレセプタクルを具備するコンパクトを示す本発明の別の実施形態を図６〜図７に図示する。図６は別の閉鎖要素も示す。この実施形態のパッケージは第１形成プラスチックトレー２００及び外側カバー６を備える。第１形成プラスチックトレー２００は、カラー領域２０１、該カラー領域に挿入されたレセプタクル２０４、側面壁２１５、及び正面壁２１６から構成される。正面壁２１６は、その内部に所定の間隔をおいて配置されたスロット２０３を具備する斜角が付けられた端縁２１４と、その外側端縁の長さに沿って延びる延長部２０２と、を備える。レセプタクル２０４の開口は、カラー領域２０１の平面に対し窪んだ水栓(bib)２０８によって取り囲む。第２形成プラスチックトレー２１１は、パネル領域２０６、側面壁２０７、正面壁２１７、及び後面壁２１８から構成される。正面壁２１７は、その長さに沿って突出する延長部分２０２と、その長さに沿って所定の間隔をおいて配置されたタブ２０５と、を具備する。タブは第１形成プラスチックトレー２００のスロット２０３に協働して係合する。図６〜図７のパッケージの閉鎖機構は、タブ２０５をスロット２０３内に挿入することによって係合する。
【００３１】
図７に示すように、この実施形態の閉じたパッケージにはボール紙カバーの外側端縁を越えて延在する延長部分２０２が形成される。このようにして、カバーに保護部を設け、かつ第１形成トレー２００と第２形成トレー２１１とを引き離す把持部も設ける。
【００３２】
図８は、外側カバー６に対して第１形成プラスチックトレー２００及び第２形成プラスチックトレー２１１の配置を示す分解組立透視図である。外側カバー６は、折れ線によって、正面パネル３、ヒンジパネル４、及び後面パネル５に分割される。第１形成プラスチックトレー２００は、カラー領域２０１及びレセプタクル２０４に対する構造的支持を与えるポスト２０９を含むように射出成形する。図９は、逆さまにされたパッケージの透視図を示す。
【００３３】
図１０は、図６〜図９の完全に構成され、横置された開放パッケージを表す。
【００３４】
図１１は、パッケージ別の透視図を与える。所望の製品を収容するために、外周レセプタクル壁２１０によって供されるように、レセプタクル２０４は十分な深さを有するようにモールド成形される。望ましくは、図示するように、レセプタクル壁２１０の高さは、ポスト２０９の高さとほぼ等価である。レセプタクル壁２１０はカラー領域２０１と、第１形成プラスチックトレー２００の水栓２０８と、に付加的な支持を与える。
【００３５】
図１２は、本発明のこの実施形態におけるレセプタクル壁２１０及びポスト２０９の相対的高さ及び配置を示す、本発明の別の実施形態の平端面図を供する。本発明のこの実施形態では、正面パネル３及び後面パネルの５の各々が形成プラスチックトレー２００及び２１１のそれぞれに位置する延長部分２０２によって形成された外側端縁の背後から所定距離にあるその外側端縁に終端するようなブランクから切断される。従って、延長部分２０２は、それぞれ、正面パネル３及び後面パネル５の外側端縁を越えて突出する。この構成の利点は使用者が延長部２０２を把持し得ることである。この延長部は堅固なプラスチック構造をしており、把持する必要又は他の仕方で取り扱う必要なしに、係合手段を引き離し且つ解放し、かくして、ボール紙部分は取扱いによる損傷を被ることが少ない。
【００３６】
図１３は、係合手段を示すパッケージ端面の横断面を供する。図示するように、第２形成プラスチックトレー２１１の正面壁２１７は突出タブ２０５を形成するためにその内部に面する側でモールド成形される。また、第１形成プラスチックトレー２００の正面壁２１６はスロット２０３を形成するためにその外部に面する側でモールド成形される。タブ２０５は、スロット２０３内に協働するように係合する。好ましくは、タブ２０５は、スロット２０３の開口より僅かに大きく構成された端部を具備する。その結果、タブ２０５の挿入は拡大した端部をスロット２０３内に挿入するために圧力を加える必要がある。また、同様に、タブ２０５の引き抜きはスロット２０３の開口から該タブを取外すために或る程度の力を加える必要がある。図１３にも示すように、第１形成プラスチックトレー２００と第２形成プラスチックトレー２１１との間に空洞２１９が形成される。空洞２１９は、側面壁２０７、２１５と、正面及び後面壁２１６、２１７及び２１８、２２０と、に対してカラー領域２０１及び平坦領域２０６の深さを増加させることによって形成される。空洞２１９は、挿入物、製品サンプル又は他の適切な寸法の物品を収容するのに有用である。
【００３７】
図１４は、側面壁２０７、正面壁２１７、及び後面壁２１８によって形成された隅部に当接するトレー内部周囲のまわりの隆起部２１２を備える本発明による第２形成プラスチックトレー２１１の実施形態の斜視図である。第２形成プラスチックトレー２１１が第１形成プラスチックトレー２００上に配置されると、隆起部２１２は、第１形成プラスチックトレー２００の側面壁２１５、正面壁２１６、及び後面壁の頂部端縁上で長手方向に直角方向に延在する。相応して、図１５に示すように、が第１形成プラスチックトレー２００の上述した壁の頂部端縁には前記トレーのまわりに溝２１３を形成するために斜角が付けられ、２つのトレーが互いに嵌合する時に隆起部２１２がこの溝内にぴったりと嵌まる。
【００３８】
図１６は、モールド成形されたポスト２０９、レセプタクル壁２１０、及び、特に、側面壁２０７に沿った溝２１３の形成部を示す本発明による成形プラスチックトレー２００の下側を示す。図面中図１６に示すように、要素２１３及び２１２によって表される溝及び対応する隆起部は、不連続であり、形成プラスチックトレーの全周のまわりというよりはむしろ或る幾つかの壁に沿ってのみ延在し得る。
【００３９】
図１７は、第２形成プラスチックトレー２１１の平坦領域２０６が金属インキの層を被着させることによって鏡面要素として構成される、本発明の実施形態を示す。同一効果を与えるために表面上に金属箔をも積層し得る。あるいは、実際の鏡を挿入し得る。この後者のオプションは本発明の範囲内ではあるが、ガラス要素の使用に伴うパッケージ重量の実質的増加のために望ましくない。図１８に示すように、本発明のコンパクトは、パッド又はスポンジのような挿入物又は塗布器も含み得る。あるいは、図１９に示すように、挿入物は小冊子又は折り畳まれた印刷物とし得る。
【００４０】
本発明のコンパクトが、化粧品以外の材料の貯蔵、輸送及び商品化計画に適していることにも留意すべきである。従って、図１９のパッケージは、形状又は寸法を変えたＣＤ又はＤＶＤを収容するためのカラー領域２０１及びレセプタクル２０４に慣用の保持手段を組み込むことによって変更し得る。
【００４１】
本発明の更に別の実施形態を図２０に表す。この実施形態では、切抜部１２は、例えば、該切抜部に含まれた製品を見るために、外部からパッケージ内部が見えるようにするために正面パネル３に含まれており、かつ表示機構として有用である。他の実施形態では、多数の切抜部を組み込み得る。また、全体的に、切抜部はカバーの正面パネル又は後面パネルに配置し得る。図２０では、透明フィルムは切抜部１２上に固着される。同様のフィルム又はバリア材料は、さらにパッケージの外部に固着し得る。あるいは、同じ保護効果はコンパクトをフィルム材料で部分的に覆うことにより達成し得る。
【００４２】
本発明の更にまた別の実施形態を図２１に示す。この実施形態によれば、単一形成プラスチックトレー３００はカバー３０５によって覆われる。カバー３０５は、形成プラスチックトレー３００と一体的にモールド成形される。しかしながら、カバーを別個に構成して、それから形成プラスチックトレー３００に着脱自在に固着し得ることも理解される。形成プラスチックトレー３００は、その正面壁３０２にカバー３０５を取り外すために指を進入させる、凹所領域３０３を含む。対応する、凹所領域３０９は、該凹所領域３０３に近接して設置された、形成プラスチックトレー３００のカラー領域３０４に設置される。カバー３０５は、レセプタクル３１４（図２１に示す）の各々を覆うフラップ内に二股に分岐し、各フラップはカラー領域３０６及び切取部３０７を具備する。カバー３０５のフラップは緊密な閉鎖をし、かつ、従って、更に対応する形成プラスチックトレーを必要とせずにレセプタクル内部に製品を収容するために、レセプタクル３１４上にスナップ嵌合するように寸法づけられる。本発明のこの実施形態では、図２２に示すように、カバー３０５は、射出成形プロセスの間に形成プラスチックトレー３００と一体にモールド成形される。ダイの形状構成は、開放して張力が掛からない位置にカバー３０５を構成し、カバーは一体ヒンジ３０８によって形成プラスチックトレー３００の端縁に折り畳み可能に連結される。形成プラスチックトレー３００及びカバー３０５の下側を図２３に示す。レセプタクル３１４は、カラー領域３０４に対する構造的支持を与える壁３１５でモールド成形される。この実施形態では、図２１〜図２６に示すように、切取部３０７は、レセプタクル内容物を保護するフィルム材料で覆われる。他の実施形態では、これらの切取部はパッケージ構造体から削除し得るものであり、代わりに、不透明又は透明材料製の単一のモールド成形されたフラップを代替し得る。
【００４３】
一般的に、こうしたパッケージの実施形態では、カバー３０５は主要な閉鎖手段を与えるが、他の閉鎖手段も組み込み得る。図２４に示すように、折り畳み可能に連結されたカバーパネル３１０、３１１、３１２、３１４、及び３１５は形成プラスチックトレー３００を部分的に覆うカバーを構成するために折り目線によって分割される。パネル３１２は、パネル３１０に形成されたスロット３１７内への挿入に対応するタブ３１６で終端する。従って、カバーパネルが形成プラスチックトレー３００上に折り畳む時、ヒンジパネル３１４を形成プラスチックトレー３００の（図示しない）後面壁に載置する。また、タブ３１６をスロット３１７内に挿入する時、パネル３１２はパネル３０１に部分的に覆い被さる。
【００４４】
別の実施形態では、図２５〜図２６に示すように、曲げ易い基板は、形成プラスチックトレー３００の下側に固着された折り畳み可能に分割されたパネル３１１と、パネル３１１の真下で折り畳まれ、かつ何れかの適切な手段によって前記パネル３１１に固着し得るパネル３１２と、を構成するために使用される。パネル３１１とパネル３１２との間の折り目線は、使用者によるパネル３１２の取外しを与えるようにも穿孔し得る。
【００４５】
単一のレセプタクル４１０と、一体ヒンジ４０６によって形成プラスチックトレー４００にヒンジ連結されたカバー４０５と、を具備する別のコンパクトを図２８の実施形態によって表す。形成プラスチックトレー４００は矩形レセプタクル４１０、及び進入点を創出する、凹所領域４０３、４０９を含む。カバー４０５はその全体形状は球形であり、溝４１４内に嵌め込まれるリム４１３を具備する。カバー４０５はパッケージ内部を見るための窓を構成する切取部４１２を含む。曲げ易い基板から構成されるパネル４１１は形成プラスチックトレー４００の下に位置し、かつこの形成プラスチックトレーに固着される。
【００４６】
本発明は、包装方法、より詳細には、加熱製剤と冷却製剤を同じパッケージにパッケージし得る。この方法は、第１に、少なくとも正面パネル、後面パネル、及びヒンジパネルを具備し、前記ヒンジパネルが前記正面パネルと後面パネルとの間に介挿される、可撓性基板製外側カバーからなるパッケージと、前記外側カバーの内側表面に取り付けられ、１つ以上のレセプタクルを含む形成プラスチックトレーと、を形成する段階を備える。引き続いて、加熱又は冷却化粧製剤の何れかを形成プラスチックトレーの１つ以上のレセプタクル内に充填し得る。この態様で、一つのトレー上のレセプタクルに加熱製剤を充填し得る一方で、対応する形成プラスチックトレーに冷却製剤を充填し得る。あるいは、加熱又は冷却化粧製剤の何れかをレセプタクル内に各々がぴったりと嵌まるように寸法づけられた１つ以上のカセット内に充填し得る。加熱製剤又は非加熱製剤を充填する順序は重要ではない。加熱又は冷却製剤を含む充填カセットは、充填直後に１つ以上のレセプタクルに配置し得る。有利なことに、本発明の特許請求の範囲に記載された発明は、同一パッケージに加熱及び冷却製剤をパッケージする手段を提供する。これは、これらの製剤が完全にモールド成形されたコンパクトのレセプタクル内に直に充填される時には可能ではない。ここで、内容物は選択及び効率的な態様で充填することはできない。本発明が本願明細書に詳細に記載し得ない多くの他の実施形態を含むが、それにも拘わらず、当業者は開示された事項を理解するであろうと確信する。
【００４７】
従って、この開示事項を、上述した実例のみに、あるいは好ましい実施形態にみ限定されるものとして解釈すべきではない。図１〜図５は、本発明による例示的な容器を示す。第１トレー１００及び第２トレー１１１によって容器を例示的に説明する。２つのトレー１００、１１１は、基板３、４、５によって互いに固定される。第１パネル３、ヒンジパネル４、及び第２パネル５によって基板を例示的に説明する。トレー及び基板は任意の適切な材料で構成し、かつ多くの方法で形状構成し得ることを理解すべきである。トレー又は基板は部分的に透明とし得るものであり、かつ多くの他の物体をトレー、基板、あるいはこれら両方に固定し得ることを理解すべきである。例えば、鏡を基板又はトレーに固定し得る。模様又は反射画像を基板又はトレーに印刷し得る、例えば、金属インクの層を被着し得るか、あるいは金属箔層を基板又はトレーに層板として貼り付け得る。
【００４８】
ここで、本発明による例示的な特徴は説明する。第１トレー１００は、平面の表面領域１０１及び側面壁１１２で図示している。２つの例示的且つ随意の空洞１０４をトレー１００上に図示している。空洞は製品貯蔵手段の例を表しているが、ハブ、タブ等を含める何れか適切な形状構成は、ＣＤロム及び他の媒体装置を保存することを含めるべく本発明の範囲内にあることが理解される。第１トレー１００は、随意の斜角が付けられた端縁１１７、１１８でも示している。凹所領域１１０を構成する、凹んだ端縁１０３は、第１トレー１００の一側に沿って図示している。随意の閉鎖手段１０５も図示している。随意の延長部分１０２はトレー１００の一部分に沿って図示している。トレー１００の一側以上に沿って延在することを含む多くの方法で延長部分１０２を形成し得ることが理解される。
【００４９】
第２トレー１１１を第２パネル３に固定して例示的に示す。トレー１１１を平面領域１０６、側面壁１０７、及び正面壁１１４で例示的に示す。例示的な延長部分１０８を正面壁１１４に沿って図示している。閉鎖手段１０９を延長部分１０８に沿って例示的に示している。第２トレー１１１は例示的な隆起１１５、１１９も具備する。
【００５０】
第１及び第２トレー１００、１１１は接着剤又はホットメルトのような接着剤を含むが、これらに限定されない何れか適切な手段によって基板３、４に固定し得る。第１及び第２トレー１００、１１１はヒンジパネル４を含むが、これに限定されない何れか適切な手段によって互いに整合させることができることが理解される。例示的な実施形態では、凹所領域１１０及び延長部分１０８を閉じた容器位置（図４）に形成し且つ互いに整合させる。同様に、閉鎖手段１０５、１０９を互いに反対側にあるトレー１００、１１１上に形成し且つその上の適切な要素に整合させる。何れか適切な閉鎖手段１０５、１０９は本発明で利用し得ることが理解される。
【００５１】
図３は、図２の容器が部分的に閉じたことを例示する。随意の延長部分１２０を第２のトレー１１１に沿って図示している。図４は、閉位置にある図２〜図６の容器を図示している。例示的方法では、第２トレー１１１からの閉鎖手段１０９は、基板を手動操作することによって第１トレー１００の閉鎖手段１０５と接触（視認できず）して配置される。理想的な構成では、第２トレー１１１の延長部分１１５、１１９は、第１トレー１００の斜角が付けられた端縁１１７、１１８に緊密に嵌合する。
【００５２】
図６は、単一の空洞２０４を具備する第１トレー２００を備えた本発明の別の実施形態を示す。例示的な外周部２０８を空洞２０４を包囲して図示している。第１トレー２００は、側面壁２１５及び正面壁２１６具備する平面領域２０１を備える。スロットのような閉鎖装置２０３を具備する斜角が付けられた端縁２１４も図示している。第２トレー２１１を、平面領域２０６、側面壁２０７、及び正面壁２１７で図示している。タブのような閉鎖手段２０５を正面壁２１７に沿って図示している。例示的な延長部分２０２をトレー２００、２１１の部分に沿って図示している。多くの方法で延長部分２０２を形成することができ、トレー２００、２１１の一側面以上にあるようにし得ることが理解される。
【００５３】
図７は、閉位置にある図６の容器を示す。第２トレー２１１の閉鎖手２０５は、第１トレー２００閉鎖手段２０３と接触している（視認できず）。図７Ａは、例示的な延長部分２０２がトレー２００、２１１の少なくとも２つの側面に沿って延在する、図６の閉じた容器の別の実施形態を示す。延長部分２０２は、基板の少なくとも幾つかの部分を越えて延在して示されている。延長部は、容器を開閉する支援をするように例示的に構成される。
【００５４】
図８は、図６の容器の分解組立図を与える。上述した構成要素に加えて、例示的なポスト２０９を平面領域２０１より下に図示する。ポスト２０９は、トレー２００に構造的支持を与える。さらに、ポスト２０９は、トレー２００を基板５に固定する支援をするか、あるいは容器の組立体によって支援し得る。
【００５５】
図１３は、閉位置にある図６の容器の部分的な横断面図を示す。閉鎖手段２０３、２０５のための例示的な形状構成を図示している。好ましくは、閉鎖手段２０５は、閉鎖手段２０３より僅かに大きい形状をしている。理想的な構成では、互いに２つのクロージャー装置２０５を固定かつ固定解除するために力を加えなければならない。さらに、ポスト２０９及び例示的な空洞２１９を図示している。２つのトレー２００、２１１間の空洞２１９は、容器への用途のために要求されるような多くの方法で形状構成し得る。例示的な実施形態では、空洞２１９は、容器内の挿入物、製品サンプル、あるいは他の適切な物品のような物体を保存し得る。図１８及び図１９は、空洞２１９に入れるための２つの例示的物体を示す。図１８は例示的な化粧塗布装置１０を図示する一方で、図１９は例示的な小冊子１１を図示している。電子物品監視装置又は他の窃盗検出装置、あるいは制止装置を含むように容器に他の媒体又はデジタル記録装置を格納し得ることが理解される。さらにまた、その追加の保存装置は、容器内にこうした物体を保存するためにトレー又は基板上に固定又は形成し得る。
【００５６】
図２０は、本発明による別の実施形態を示す。外周１２を具備する切取部１３を例示的なパネル３上に示す。切取部１３は、基板３に亘って部分的に又は完全に延在し得ることが理解される。切取部１３は、随意には透明フィルム（図示せず）又は他の適切なバリア手段によって切取部１３を覆い得る。さらにまた、第２トレー２１１が部分的に透明な場合、容器の外から容器の内部を視認し得る。基板の任意の部分に沿い、かつ多様な仕方で形状構成された１つの切取部１３は本発明の範囲内にあることが理解される。
【００５７】
図２２は、本発明による別の実施形態を示す。トレー３００を、例示的なヒンジ線３０８に沿ったトレー３００に固定された２つの別々のカバー領域３０５で例示的に図示する。カバー３０５は、当該分野で周知な技術を使用してトレー３００と一体に構成し得る。別様には、カバー３０５は、慣用の技術を使用して、トレー３００に別々に形成され且つ固定し得る。トレー３００を、平面領域３０４、２つの空洞３１４、側面壁３０１、正面壁３０２、及び２つの凹所領域３０３、３０９を備えて示している。カバー３０５は、平面領域３０６及び図２０に関して上述したような例示的な切取部３０７を具備する。カバー３０５のフラップを空洞３１４上に嵌合するように理想的に構成し且つ整合させる。
【００５８】
図２１は、閉位置にあるの図２２の容器を示す。図２３は、本発明による別の実施形態を示す。図２２の容器の平面領域３０４は欠落しており、空洞３１４に対する側面壁３１５は図示されている。
【００５９】
図２５は、本発明による別の実施形態を示す。パネル３１０、３１１、３１２は、トレー３００の少なくとも幾つかの部分に固定されて示されている。パネル３１０、３１１、３１２は、多くの方法でトレー３００に形状構成し、折り畳、固定し得る。
【００６０】
図２４は、本発明による別の実施形態を示す。パネル３１０、３１１、３１２はヒンジパネル３１４、３１５によって互いに固定されて示されている。例示的なタブ３１６はパネル３１２に固定して示されている。例示的な実施形態では、パネル３１０、３１１、３１２は、タブ３１６がパネル３１０のスロット３１７内に挿入し得るように幾つかの方法で折り畳み得る（図示せず）。例示的な実施形態では、１つ以上のパネル３１０、３１１、３１２は、トレー３００からパネル３１１、３１２を取り外す手助けをする支援装置を具備し得る。
【００６１】
図２８は、本発明による別の実施形態を示す。単一の空洞４１０及びカバー４０５を有するトレー４００は、ヒンジ手段４０６によってトレー４００に固定される。トレー４００は、矩形空洞４１０のまわりの溝４１４によって画定された外周部４０８を含む。トレーは２つの例示な凹所領域４０３、４０９を具備する。カバー４０５は、溝４１４のために例示的に形状構成されたリム４１３を具備する。カバー４０５は随意には切取部４１２を含む。パネル４１１は例示的にトレー４００に固定されている。
【００６２】
本発明は、同じ容器に対して熱いか冷たい包装方法を使用して化粧品をパッケージする方法を更に備える。この方法は上に説明したような容器を構成する段階を備える。続いて、熱いか又は冷たい化粧品の何れかを容器に配置する。その後、第２の熱いか冷たい化粧品は、随意には容器内に配置される。あるいは、化粧品は、容器の空洞内に嵌合するように寸法づけられた１つ以上のカセットに充填し得る。容器内に熱いか冷たい化粧品を配置する順序は重要ではないが、包装作業によって最適化し得ることが理解される。
【００６３】
本発明は本願明細書に詳細に説明し得ないが、それにも拘わらず記載された開示事項から当業者によって理解し得る多くの実施形態を含むことを確信する。従って、この開示は、前述の例示すだけ、あるいは特定の好ましい実施形態のみに限定されるものとして解釈すべきでない。
【図面の簡単な説明】
【００６４】
【図１】本発明の一の実施形態による多数のレセプタクルを具備刷るコンパクトの分解組立斜視図である。
【図２】開いたコンパクトの斜視図である。
【図３】部分的に開いたコンパクトの斜視図である。
【図４】図１〜図３の閉じたコンパクトの斜視図である。
【図５】形成プラスチックトレーの３次元態様を示す図３のコンパクトの斜視図である。
【図６】本発明の別の実施形態による部分的に開かれ、かつ単一のレセプタクルを具備するコンパクトの斜視図である。
【図７】図６の閉じたコンパクトの斜視図である。
【図７Ａ】本発明による別の実施形態を示す図である。
【図８】図６のコンパクトの構成要素の相対的形状構成を示す分解組立斜視図である。
【図９】図８のコンパクトの下側からの分解組斜視図である。
【図１０】完全に開かれたコンパクトの斜視図である。
【図１１】パッケージが閉じている場合に構成要素の内部形状構成を示す、閉じたコンパクトの斜視図である。
【図１２】パッケージが閉じている場合に構成要素の内部形状構成を示す、閉じたコンパクトの平面図である
【図１３】本発明の一実施形態におけるコンパクトの閉鎖端部の横断面図である。
【図１４】本発明による形成プラスチックトレーの斜視図である。
【図１５】本発明による形成プラスチックトレー斜視図である。
【図１６】図１５の形成プラスチックトレーの下側の斜視図である。
【図１７】本発明の一実施形態による鏡付コンパクトの斜視図である。
【図１８】鏡付コンパクト及びアプリケータを備える本発明によるパッケージの斜視図である。
【図１９】パッケージ内の空洞内に含まるインサートを備える本発明によるパッケージを表す図である。
【図２０】パッケージ内容物を見せる正面パネルの切取り部を含む、閉じたコンパクトの斜視図である。
【図２１】本発明の一実施形態による各レセプタクル上のカバーを具備する形成プラスチックトレーを表す図である。
【図２２】図２１の開かれたコンパクトを示す図である。
【図２３】図２１のコンパクトの下側の斜視図である。
【図２４】カバー及び錠止可能な折り畳可能な延長部分を具備する外側カバーを有するコンパクトを備える本発明によるパッケージを表す図である。
【図２５】カバー及び折り畳可能な延長部分を具備するコンパクトを備える本発明によるパッケージを表す図である。
【図２６】本発明による折り畳まれた延長部分を具備するパッケージの外側カバー及びコンパクト構成要素を示す拡大図である。
【図２７】外側カバーが折り畳まれた延長部分を備える、本発明によるパッケージを表す図である。
【図２８】別様に形状構成されたカバー要素を具備する本発明によるパッケージを表す図である。
【図２９】本発明による別の実施形態を示す図である。
【図３０】本発明による別の実施形態を示す図である。
【符号の説明】
【００６５】
３  正面パネル
４  ヒンジパネル
５  後面パネル
６  外側カバー
１２  切取部
１００  第１形成プラスチックトレー
１０１  カラー領域
１０２  延長部分
１０３  凹んだ端縁
１０４  レセプタクル
１０５  ソケット
１０６  パネル領域
１０７  側面壁
１０８  延長部分
１０９  合釘
１１０  凹所領域
１１１  第２形成プラスチックトレー
１１２  直立側面壁
１１４  正面壁
１１５、１１９  隆起部
１１６  後面壁
１１７、１１８  斜角が付けられた端縁
１２０  延長部分
２００  第１形成プラスチックトレー
２０１  カラー領域
２０２  延長部分
２０３  スロット
２０４  レセプタクル
２０５  タブ
２０６  パネル領域
２０７  側面壁
２０８  水栓
２０９  ポスト
２１０  レセプタクル壁
２１１  第２形成プラスチックトレー
２１３  溝
２１４  斜角が付けられた端縁
２１５  側面壁
２１６、２１７  正面壁
２１８、２２０  後面壁
２１９  空洞
３００  単一形成プラスチックトレー
３０１  パネル
３０２  正面壁
３０３  凹所領域
３０４、３０６  カラー領域
３０５  カバー
３０７  切取部
３０８  一体ヒンジ
３０９  凹所領域
３１０、３１１、３１２、３１３、３１５  カバーパネル
３１４  レセプタクル
３１６  タブ
３１７  スロット
４００  形成プラスチックトレー
４０３、４０９  凹所領域
４０５  カバー
４０６  一体ヒンジ
４０８  外周部
４１０  矩形レセプタクル
４１１  パネル
４１２  切取部
４１３  リム
４１４  溝
【図１】
2006504593.tif 000003
【図２】
2006504593.tif 000004
【図３】
2006504593.tif 000005
【図４】
2006504593.tif 000006
【図５】
2006504593.tif 000007
【図６】
2006504593.tif 000008
【図７】
2006504593.tif 000009
2006504593.tif 000010
【図８】
2006504593.tif 000011
【図９】
2006504593.tif 000012
【図１０】
2006504593.tif 000013
【図１１】
2006504593.tif 000014
【図１２】
2006504593.tif 000015
【図１３】
2006504593.tif 000016
【図１４】
2006504593.tif 000017
【図１５】
2006504593.tif 000018
【図１６】
2006504593.tif 000019
【図１７】
2006504593.tif 000020
【図１８】
2006504593.tif 000021
【図１９】
2006504593.tif 000022
【図２０】
2006504593.tif 000023
【図２１】
2006504593.tif 000024
【図２２】
2006504593.tif 000025
【図２３】
2006504593.tif 000026
【図２４】
2006504593.tif 000027
【図２５】
2006504593.tif 000028
【図２６】
2006504593.tif 000029
【図２７】
2006504593.tif 000030
【図２８】
2006504593.tif 000031
【図２９】
2006504593.tif 000032
【図３０】
2006504593.tif 000033
【国際調査報告】
2006504593.tif 000034
2006504593.tif 000035
2006504593.tif 000036